(57)【要約】      （修正有）【課題】無駄を抑制して、リサイクル効率の向上が図れるベルト結束用補助具を提供する。【解決手段】一体で構成されている結束バンドを頭部とベルト部に分離し、ベルト部の始端側を留める始端部４と、ベルト部の終端側を留める終端部５をベルト状の連結部６で連結し、始端部、終端部においてベルト部を通し留める挿通孔７の内部にある係止片にて、ベルト部ののこぎり状凹凸部を介して、ベルト部の挿通方向と逆方向の挿通を規制する。【選択図】図１Ａ
0003201391.tif 000002
【実用新案登録請求の範囲】
【請求項１】
ベルト部の一端側と他端側とを結束させるためのベルト結束用補助具であって、
ダブルロック部を備え、
前記ベルト部は、少なくとも一方のベルト面にのこぎり状の凹凸部を有し、
前記ダブルロック部は、
前記ベルト部の一端側を留める始端部と、
前記ベルト部の他端側を留める終端部と、
前記始端部と前記終端部とを連結するベルト状の連結部を含み
前記始端部および前記終端部は、前記ベルト部を挿通させる挿通孔と、
前記挿通孔の内側に配置され、前記ベルト部ののこぎり状凹凸部を介して前記ベルト部の前記挿通方向と逆方向の挿通を規制する係止片とを備え、
前記連結部の一端側に前記始端部が配置され、前記連結部の他端側に前記終端部が配置されることを特徴とするベルト結束用補助具。
【請求項２】
ベルト部の一端側と他端側とを結束させるためのベルト結束用補助具であって、
ダブルロック部を備え、
前記ベルト部は、少なくとも一方のベルト面にのこぎり状の凹凸部を有し、
前記ダブルロック部は、
前記ベルト部の一端側を留める始端部と、
前記ベルト部の他端側を留める終端部とを含み、
前記始端部および前記終端部は、前記ベルトを挿通させる挿通孔と、
前記挿通孔の内側に配置され、前記ベルト部ののこぎり状凹凸部を介して前記ベルト部の前記挿通方向と逆方向の挿通を規制する係止片とを備え、
しかも前記始端部と前記終端部とは、それぞれの前記挿通孔どうしが平行となる態様で、一体に形成されることを特徴とするベルト結束用補助具。
【請求項３】
前記始端部および前記終端部は、前記係止片の前記のこぎり状凹凸部との係止を解除させる解除レバーを備え、請求項１あるいは、請求項２と同じ構成で、同様な効果があって、結束解除機能を持つ係止片を備えることを特徴とするベルト結束用補助具。
【考案の詳細な説明】
【技術分野】
【０００１】本考案は、ベルト結束用補助具で、結束バンドのリサイクル化に関し、連結部を介して、ベルト部を通して留める始端部、終端部を一体化したのを特徴とする。
【背景技術】
【０００２】図５は、従来の結束バンドの斜視図であり、図５に示すように一般的な結束バンドは頭部１とベルト部２とが一体で構成され、頭部１には旧挿通孔３と、その内側に係止片ｃが設けられている。
図３Ａは図５の頭部１を点線ｄの面で切断して右へ９０度起こした断面図である。
図３Ａと図５を用いて、一般的な結束バンドについて説明する。
結束バンドは、結束する部材をベルト部２でまとめて、ベルト部２を頭部の旧挿通孔３に通し、係止片ｃでロックすることで、部材を結束することができ、ベルト部２の余長部分は切り捨てられる。【０００３】近年は、機能的にベルトのどちらの面でもロックできるもの、ロックを解除できるものがあり、材質的にもプラスチックだけでなく、金属製の結束バンドがある。【０００４】しかしながら、ベルト部の長さは、結束バンドの種類によって異なるものの、長さが固定であるため、結束の都度、余長部分は、切り捨てられ、結束後の結束バンドもリサイクルできず、廃棄されている。
また長さが不足する場合は、結束バンドを接続して間に合わせている。
【考案の概要】
【考案が解決しようとする課題】
【０００５】本考案は、以上のような従来の欠点に鑑み、結束時に廃棄されていた余長部分のベルト部と、使用後の結束バンドのベルト部、およびロックする部分を再利用することにより、無駄を抑えることができる。
また長尺のベルト部を用意することにより、フリーサイズの結束バンドを幾度も作ることができる。
【課題を解決するための手段】
【０００６】上記目的を達成するために、ベルト部の一端側と他端側とを結束させるためのベルト結束用補助具であって、前記一端側と前記他端側とを連結するベルト状の連結部を備えている。
前記ベルト部は、少なくとも一方のベルト面にのこぎり状の凹凸部を有している。
ダブルロック部は、前記一端側を留める始端部と前記他端側を留める終端部とを含み、前記始端部および前記終端部は、前記ベルトを挿通させる挿通孔と、前記挿通孔の内側に配置され、前記ベルトののこぎり状凹凸部を介して、前記ベルトの前記挿通方向と、逆方向の挿通を規制する係止片から構成される。
前記連結部の一端側に前記始端部が配置され、前記連結部の他端側に前記終端部が配置されることを特徴とするベルト結束用補助具である。【０００７】挿通孔の内側の係止片ｃの構造は、図５の頭部を点線の面ｄで切断して、右へ９０度起こした断面図は、図３Ａのとおりである。
ダブルロック部が上手く機能するには、始端部４および終端部５のベルト部を挿通する挿通孔７の面が、ロックするｂの面に、排出する面が、スルーになるａの面となるよう設定する必要がある。
【考案の効果】
【０００８】本考案にあっては、次に列挙する効果が得られる。
（１）結束時に切断され、廃棄されていたベルト部の余長部分は、再利用ができる。【０００９】（２）使用後に廃棄された結束バンドのベルト部、および本考案のベルト結束用補助具であるダブルロック部も、始端部および終端部に残るベルトの残骸を取り除くことにより、再利用ができる。【００１０】（３）本考案のダブルロック部と長尺のベルト部を用意することにより、フリーサイズの結束バンドを幾度も作ることができ、無駄を抑えることができる。
【図面の簡単な説明】
【００１１】
【図１Ａ】本考案の実施例１に関わるベルト結束用補助具の斜視図である。
【図１Ｂ】本考案の実施例２に関わるベルト結束用補助具の斜視図である。
【図２Ａ】実施例１を使用した結束時の挿通孔内部のイメージ図である。
【図２Ｂ】実施例２を使用した結束時の挿通孔内部のイメージ図である。
【図３Ａ】頭部の旧挿通孔を点線の面ｄで切断して右へ９０度起こした係止片の断面図である。
【図３Ｂ】上記同様、結束解除できる係止片の断面図である。
【図４】従来の結束バンドから切断されたベルト部の斜視図である。
【図５】従来の結束バンドの斜視図である。
【考案を実施するための形態】
【００１２】本考案の実施例を図１Ａ〜図４を用いて説明する。
挿通孔７の方向性について説明する。
挿通孔の内側の係止片ｃは、図３Ａの断面図のとおりスルー面ａからロック面ｂへはロックがかかり、逆にロック面ｂからスルー面ａへは、スルーとなる構造である。
【００１３】ベルト結束用補助具であるダブルロック部には、ベルト部に平行に始端部４と終端部５を配置し、両端部を支える連結部６を介して図１Ａのとおり一体化する方法と、図１Ｂのとおり始端部４、終端部５を１つの面で接続して一体化する方法の２つがある。
【実施例１】
【００１４】本考案のベルト結束用補助具について、図１Ａ、図２Ａ、図４を用いて説明する。
図４は、結束時に切断された余分なベルト部を示す図で、図１Ａは、本考案のベルト結束用補助具の実施例１を示す図であり、図２Ａは図４で示した余分なベルト部を本考案の実施例１に示すベルト結束用補助具に接続した例を示す図である。
図１Ａに示すように本考案のベルト結束用補助具は、始端部４と終端部５および始端部４、終端部５を連結している連結部６とからなるダブルロック部で構成され、始端部４は、結束バンドのベルト部８を挿通する挿通孔７を備え、ベルト部を挿入する面をロック面ｂとし、排出する面をスルー面ａとし、挿通孔７の一端部に、ベルト部に設けられたのこぎり状凹凸部を規制する係止片ｃを備えた構成であり、終端部５は、始端部４と同一形状とし、始端部４、終端部５は挿通孔の各面が相対角度１８０度の関係で、それぞれのロック面どうし、もしくはスルー面どうしが向き合うように配置し、かつ係止片ｃを設置した面側で連結部６で連結して、ダブルロック部を形成する。
始端部、終端部の係止片の向きについては、問わない。【００１５】考案したベルト結束用補助具を再利用するためのベルトの残骸を取り外す要領は、図１Ａのダブルロック部の始端部４か、終端部５のいずれかの外側５ｍｍ程度でベルトを切断して、両端部とも外側から内側へ残骸を押し込めば容易に外れる。
【実施例２】
【００１６】本考案のベルト結束用補助具について、図１Ｂ、図２Ｂ、図４を用いて説明する。
結束時に切断された余分なベルト部が、図４で、図１Ｂは、本考案のベルト結束用補助具の実施例２を示す図であり、図２Ｂは図４で示した余分なベルト部を本考案の実施例２に示すベルト結束用補助具に接続した例を示す図である。
図１Ｂに示すように本考案のベルト結束用補助具は、始端部４と終端部５を１つの面で接続したダブルロック部で構成され、始端部４は、挿通する挿通孔７を備え、ベルト部８を挿入する面をロック面ｂとし、排出する面をスルー面ａとし、挿通孔７の一端部に、ベルト部に設けられたのこぎり状凹凸部をロックする係止片ｃを備えた構成であり、終端部５は、始端部４と同一形状とし、始端部４、終端部５は挿通孔の各面が相対角度１８０度の関係で、かつ係止片ｃを設置した面側でダブルロック部を形成する。
始端部、終端部の係止片の向きについては、問わない。【００１７】ベルト結束用補助具を再利用のための残骸の取り外しの要領は、実施例１と同様である。
【実施例３】
【００１８】ベルト結束用補助具の始端部および終端部の係止片に図３Ｂに示す結束解除レバーを備え、実施例１あるいは実施例２と同じ構成で、同様な効果がある。
【産業上の利用可能性】
【００１９】自動車、飛行機、船舶、電気製品、工場設備、通信設備、電気設備の配線の結束および、ハウス栽培設備での結束に利用できる。
【符号の説明】
【００２０】  １：  頭部
２：  ベルト部
３：  旧挿通孔
４：  始端部
５：  終端部
６：  連結部
７：  挿通孔
８：  始端側
９：  終端側
ａ：  スルー面
ｂ：  ロック面
ｃ：  係止片
ｄ：  切断面
ｅ：  解除レバー
【図１Ａ】
0003201391.tif 000003
【図１Ｂ】
0003201391.tif 000004
【図２Ａ】
0003201391.tif 000005
【図２Ｂ】
0003201391.tif 000006
【図３Ａ】
0003201391.tif 000007
【図３Ｂ】
0003201391.tif 000008
【図４】
0003201391.tif 000009
【図５】
0003201391.tif 000010
【手続補正書】
【提出日】平成27年9月17日(2015.9.17)
【手続補正１】
【補正対象書類名】実用新案登録請求の範囲
【補正対象項目名】請求項３
【補正方法】変更
【補正の内容】
【請求項３】
「前記始端部および前記終端部は、前記係止片の前記のこぎり状凹凸部との係止を解除させる解除レバーを備え、前記係止片が結束解除機能を有することを特徴とする、請求項１または請求項２に記載のベルト結束用補助具。」